(57)【特許請求の範囲】
【請求項１】
弾球遊技機の背面に着脱自在に装着され、貯留タンクから流下樋を経て流下する遊技球を上面に形成された開口から受け入れ、受け入れた遊技球を下面から下方に突出する案内筒からモータの駆動により排出し、排出した遊技球をその下流に設けられた球通路ユニットの入口に流入させて受け皿に払い出す払い出し装置を備えた弾球遊技機において、
前記弾球遊技機の背面に設けられ、前記払い出し装置の装着時に下方から上方への移動をガイドするとともに、前記流下樋からの遊技球が前記開口に流入し、かつ前記案内筒が前記球通路ユニットの入口の上方に位置する仮止め位置まで前記払い出し装置が移動したときに前記払い出し装置を前記弾球遊技機の背面に係止する仮止め手段と、
前記球通路ユニットの前記入口から略垂直下方に連なる左右の側壁及び後壁に摺接する板状の壁のそれぞれが連なって一体の枠型形状をなす枠部と、前記球通路ユニットの前記左右の側壁に略垂直に延ばして形成された一対の長孔のそれぞれに係合するように、前記枠部の内側に突出して設けられた一対の略水平な軸とを有し、前記軸を中心に回動自在かつ前記長孔に沿って上下に移動自在なストッパとを備え、
前記軸が前記長孔の上側に位置するように前記ストッパを移動させてから前記軸を中心に前記ストッパを起立方向に回動させたときに、前記枠部が、前記仮止め位置で係止された前記払い出し装置の下方への移動経路内に進入し、かつ前記案内筒の周囲を取り囲む規制位置に移動すると、前記弾球遊技機の背面に設けられたストッパ係止部に係止して前記ストッパが前記規制位置で保持され、
前記ストッパ係止部との係止を解除してから前記軸を中心に前記ストッパを倒伏方向に回動させて前記枠部を前記移動経路から退避させた後、前記軸が前記長孔の下側に位置する規制解除位置に前記ストッパを移動させることによって、前記払い出し装置を前記仮止め位置から移動させて前記弾球遊技機の背面から取り外すことができるようにしたことを特徴とする弾球遊技機。
【発明の詳細な説明】
【技術分野】
【０００１】
払い出し装置が着脱自在に取り付けられた弾球遊技機に関するものである。
【背景技術】
【０００２】
パチンコ機の背面側にはパチンコ球の払い出し装置が設けられている。払い出し装置は、入賞が発生すると作動される。払い出し装置が作動されると賞球が払い出され、払い出し装置から払い出されたパチンコ球は球通路を通過して受け皿に流下する。一般的に、例えば特許文献１で示されているように、払い出し装置は例えば爪係合などによって着脱自在に取り付けられている。これにより、払い出し装置が故障した際に装置単体の交換や装置単体のメンテナンスが可能になっている。また、払い出し装置はパチンコ球の払い出しの際に振動を発生するため、爪係合のみで保持すると脱落するおそれがある。このため、例えば特許文献２では、払い出し装置の下端を保持することによって払い出し装置が脱落することを防止するストッパを安価に設けることが提案されている。
【特許文献１】特開平７−３２３１１８号公報
【特許文献２】特開２０００−１３５３５４号公報
【発明の開示】
【発明が解決しようとする課題】
【０００３】
しかしながら上記のようなパチンコ機では、ストッパによって払い出し装置の脱落を防止すれば払い出し装置の垂直方向での位置は保持されるが、水平方向に関してはその位置が保持されていないため、パチンコ球の払い出しの際の振動によって払い出し装置の水平方向の位置が変動してしまい、球通路と払い出し装置との間でパチンコ球が詰まってしまうことがあった。このため、払い出し装置の水平方向での位置決めを行うストッパを別個に設けることが考えられるが、ストッパを増設すると部品点数が増加してパチンコ機の製造コストが上昇してしまう。
【０００４】
本発明は、上記課題を解決するためになされたもので、払い出し装置の水平方向での位置決めを安価に行うことができる弾球遊技機を提供することを目的とする。
【課題を解決するための手段】
【０００５】
本発明の弾球遊技機は、弾球遊技機の背面に着脱自在に装着され、貯留タンクから流下樋を経て流下する遊技球を上面に形成された開口から受け入れ、受け入れた遊技球を下面から下方に突出する案内筒からモータの駆動により排出し、排出した遊技球をその下流に設けられた球通路ユニットの入口に流入させて受け皿に払い出す払い出し装置を備えた弾球遊技機において、前記弾球遊技機の背面に設けられ、前記払い出し装置の装着時に下方から上方への移動をガイドするとともに、前記流下樋からの遊技球が前記開口に流入し、かつ前記案内筒が前記球通路ユニットの入口の上方に位置する仮止め位置まで前記払い出し装置が移動したときに前記払い出し装置を前記弾球遊技機の背面に係止する仮止め手段と、前記球通路ユニットの前記入口から略垂直下方に連なる左右の側壁及び後壁に摺接する板状の壁のそれぞれが連なって一体の枠型形状をなす枠部と、前記球通路ユニットの前記左右の側壁に略垂直に延ばして形成された一対の長孔のそれぞれに係合するように、前記枠部の内側に突出して設けられた一対の略水平な軸とを有し、前記軸を中心に回動自在かつ前記長孔に沿って上下に移動自在なストッパとを備え、前記軸が前記長孔の上側に位置するように前記ストッパを移動させてから前記軸を中心に前記ストッパを起立方向に回動させたときに、前記枠部が、前記仮止め位置で係止された前記払い出し装置の下方への移動経路内に進入し、かつ前記案内筒の周囲を取り囲む規制位置に移動すると、前記弾球遊技機の背面に設けられたストッパ係止部に係止して前記ストッパが前記規制位置で保持され、前記ストッパ係止部との係止を解除してから前記軸を中心に前記ストッパを倒伏方向に回動させて前記枠部を前記移動経路から退避させた後、前記軸が前記長孔の下側に位置する規制解除位置に前記ストッパを移動させることによって、前記払い出し装置を前記仮止め位置から移動させて前記弾球遊技機の背面から取り外すことができるようにしたものである。なお、「形成」とは、払い出し装置と案内筒とを一体に形成する場合及び払い出し装置と別体の案内筒を払い出し装置に接合する場合の両方を含む。
【０００７】
また、前記ストッパは、略垂直な軸を中心に回動することが好ましい。
【０００８】
なお、「略水平」及び「略垂直」とは、誤差なく水平及び垂直にしなくても良いことを示し、おおよそ水平又はおおよそ垂直であれば「略水平」及び「略垂直」とする。
【発明の効果】
【０００９】
ストッパが払い出し装置の下方への移動を規制するとともに、払い出し装置の略水平方向への移動を規制するので、払い出し装置の脱落を防止するストッパで略水平方向の位置決めを行うことが可能になり、払い出し装置の略水平方向での位置決めを安価に行うことができる。
【００１０】
ストッパは、略水平な軸を中心に回動するとともに、その軸は略垂直方向でスライド自在に取り付けられており、ストッパを規制位置から規制解除位置に回動させると、ストッパは略垂直方向にスライドするので、払い出し装置の着脱を行う際にストッパが邪魔になることを防止でき、払い出し装置のメンテナンスや交換の際の作業を効率よくできる。
【００１１】
ストッパは、略垂直な軸を中心に回動するので、略鉛直方向では払い出し装置の下方への移動を規制するためのスペースのみを確保すればよくなり、これにより、略水平方向でのスペースを効率良く使用することができ、さらに、球通路を設置するためのスペースを確保しやすくなる。
【発明を実施するための最良の形態】
【００１２】
図１に示すように、本発明のパチンコ機（弾球遊技機）１０の盤面１１には、図柄表示装置１２、始動口１３、通常口１４、アタッカ１５、アウト口１６が設けられている。また、図示は省略してあるが、障害釘や風車などが設けられている。
【００１３】
パチンコ球は玉発射装置によって一個ずつ盤面１１上の前方に打ち出される。盤面１１の前方に打ち出されたパチンコ球は、始動口１３、通常口１４、アウト口１６のいずれかに入る。始動口１３にパチンコ球が入ったときには図柄表示装置１２で図柄の変動表示が行われる。そして、停止した図柄の組み合わせによって大当たりか否かが表示される。大当たりが得られるとアタッカ１５が複数回開放される。始動口１３、通常口１４、アタッカ１５のいずれかにパチンコ球が入賞すると賞球が払い出される。パチンコ機１０の前面には受け皿１７が設けられており、その内壁には払い出し口１８が形成されている。賞球は、払い出し口１８から受け皿１７に払い出される。受け皿１７では、払い出されたパチンコ球が貯留される。受け皿１７内のパチンコ球は球発射装置に１球ずつ供給される。
【００１４】
図２に示すように、パチンコ機１０の背面でその上部には、外部からパチンコ球が供給される貯留タンク３０が設けられている。貯留タンク３０の下方には流下樋３１が設けられている。流下樋３１には貯留タンク３０内のパチンコ球が落下する。流下樋３１は図の右方に向かって下るようにゆるやかに傾斜している。貯留タンク３０から落下してきたパチンコ球は流下樋３１の傾斜に沿って流下する。流下樋３１から排出されたパチンコ球は払い出し装置３２に向かって流下する。払い出し装置３２は、流下してきたパチンコ球をその下流側に配置された球通路ユニット３３内に払い出す。球通路ユニット３３に流下したパチンコ球は受け皿１７に流下する。なお、球通路ユニット３３の背面には、払い出し装置３２の駆動制御を行う払い出し制御基板が収納された基板ケース３４が一体に取り付けられている。
【００１５】
図３に示すように、払い出し装置３２はパチンコ機１０に対して着脱自在に取り付けられている。パチンコ機１０の背面にはリブ３５が形成されている。リブ３５は、払い出し装置３２を取り付けるための領域を区画しており、払い出し装置３２はリブ３５の内側に取り付けられる。リブ３５の内側には、払い出し装置３２を仮固定する際に用いられる取付孔３６及び係止爪３７が形成されている。取付孔３６はリブ３５で囲まれた領域内でその上方、係止爪３７は下方に配置されている。係止爪３７は前後方向に弾性が付与されている。
【００１６】
図４に示すように、払い出し装置３２は縦長な略直方体形状に形成されている。払い出し装置３２の上面には開口４０が２箇所に形成されている。流下樋３１から排出されたパチンコ球は開口４０から払い出し装置３２内に供給される。払い出し装置３２の内部でその下部には、モータ収納部４１が形成されている。モータ収納部４１には図示しないモータが収納されており、このモータが駆動されると払い出し装置３２内のパチンコ球が払い出される。
【００１７】
払い出し装置３２の一側面には、フック４２及び係止孔４３が形成されている。フック４２は上方に突出するように形成されており、係止孔４３はその側面の下端部に形成されている。そして、払い出し装置３２を上方にスライドさせて、フック４２を取付孔３６（図３参照）に差し込むと係止爪３７（図３参照）が係止孔４３に係止され、払い出し装置３２がパチンコ機１０の背面に仮固定される。また、払い出し装置３２には、両側方に突出した突起３２ａが形成されている。
【００１８】
図５に示すように、略垂直方向に延びるリブ３５の内壁には、突起３５ａが形成されている。リブ３５はその一部がクランク状に折れ曲がっており、突起３５ａは折れ曲がった部分から下方に突出している。また、突起３５ａとパチンコ機１０の背面との間には、払い出し装置３２の突起３２ａよりやや大きい隙間が形成されている。そして、払い出し装置３２を仮固定する際には、突起３２ａが突起３５ａとパチンコ機１０の背面との隙間に差し込まれる。これにより、パチンコ機１０の背面側へ払い出し装置３２が変位することを防止でき、係止爪３７と係止孔４３との係止を維持することができる。
【００１９】
図６に示すように、払い出し装置３２の下面には払い出し装置３２から下方に突出する案内筒４４が一体に形成されている。案内筒４４は略円管状に形成されている。払い出し装置３２から払い出されたパチンコ球は案内筒４４から球通路ユニット３３に向けて排出される。
【００２０】
図７及び図８に示すように、球通路ユニット３３は略Ｌ字形に形成されており、その略水平な部分がパチンコ機１０の幅方向と略平行になるようにパチンコ機１０の背面に取り付けられている。球通路ユニット３３の内部には球通路４６が形成されている。球通路４６には、球通路ユニット３３の上端部に形成された球入口４７からパチンコ球が流下する。払い出し装置３２及び球通路ユニット３３がパチンコ機１０に取り付けられた状態では、球入口４７は払い出し装置３２の案内筒４４の下方に位置するように配置されている。これにより、案内筒４４から排出されたパチンコ球は球通路４６内に流下する。
【００２１】
払い出し装置３２の下方で球入口４７の近傍には、略水平な軸４８を中心に回動するストッパ４９が設けられている。ストッパ４９は、その横断面の形状が略コの字形に形成されている。ストッパ４９は、払い出し装置３２の落下経路上（払い出し装置３２をパチンコ機１０の背面に取り付けた状態から払い出し装置３２が落下した場合の経路）に進入して払い出し装置３２の下方への移動を規制する規制位置（図８に示す位置）と、この規制を解除する規制解除位置（図７に示す位置）との間で回動自在となるように、球通路ユニット３３に軸着されている。
【００２２】
ストッパ４９の上面には、ストッパ４９が規制位置に位置するときに払い出し装置３２の略水平方向への移動を規制する規制部４９ａが設けられている。規制部４９ａは、ストッパ４９の上面に被せられた板を案内筒４４よりも一回り大きく切り欠いて形成されている。規制部４９ａは案内筒４４の外周面の形状と略同一の形状になっている。ストッパ４９が規制位置に位置する状態では、規制部４９ａが案内筒４４の周囲を囲んだ状態となる。これにより、払い出し装置３２の略水平方向への移動が規制される。
【００２３】
ストッパ４９の一方の面には爪４９ｂが形成されている。爪４９ｂは、規制位置側から規制解除位置側に向かって徐々にストッパ４９の側面から隆起している。また、球通路ユニット３３には、爪４９ｂと対峙するように段差部５０が形成されており、さらに、ストッパ４９の両側面に向かって突出する係止突起５１が形成されている。段差部５０は２段の段差からなる。ストッパ４９が規制位置に回動されると、爪４９ｂが段差部５０の上段に載置された状態となり、さらに、爪４９ｂが係止突起５１に係止する。これにより、ストッパ４９が規制位置で保持される。軸４８は、略垂直な方向に延びた長孔５２内で軸支されている。このため、ストッパ４９を係止解除位置に回動させると、ストッパ４９は長孔５２に沿って略垂直方向にスライドする。ストッパ４９が下方にスライドした状態では、爪４９ｂが段差部５０の下段で載置された状態となる。
【００２４】
ストッパ４９の下部でその前端縁には、ストッパ４９を一定の角度まで回動させると通路ユニット３３の外壁面３０ａと当接する当接部４９ｃが設けられている。そして、当接部４９ｃでストッパ４９の回動可能な角度を一定の角度で制限することによって、ストッパ４９が回動した状態で例えばメンテナンスなどの作業時に作業者が接触して、ストッパ４９に左右方向の外力が加えられ、ストッパ４９が破損してしまうことを防止している。
【００２５】
次に、上記構成による作用について説明する。図９に示すように、パチンコ機１０から払い出し装置３２を取り外す場合は、規制位置のストッパ４９を規制解除位置に回動させ、さらに、ストッパ４９を長孔５２（図７参照）に沿って下方にスライドさせる。この後、払い出し装置３２を下方にスライドさせると、フック４２（図６参照）が取付孔３６（図３参照）から引き抜かれるとともに、係止爪３７（図３参照）と係止孔４３（図４参照）との係止が解除される。これにより、図３に示すように、払い出し装置３２がパチンコ機１０から取り外される。
【００２６】
また、払い出し装置３２をパチンコ機１０に取り付ける場合は、払い出し装置３２をリブ３５の内側に位置合わせし、払い出し装置３２を上方にスライドさせる。払い出し装置３２をスライドさせると、フック４２が取付孔３６に挿入されるとともに、係止爪３７と係止孔４３とが係止する。これにより、図８に示すように、払い出し装置３２が仮固定される。この後、図２に示すように、ストッパ４９を上方にスライドさせ、規制位置に回動させる。これにより、払い出し装置３２の取付が完了する。
【００２７】
上記実施形態では、水平な軸４８で軸支されたストッパ４９を設けたが、例えば図１０に示すように、略垂直な軸６０によって軸支されたストッパ６１を設けてもよい。なお、上記実施形態と同一の部材については同一の符号を使用し、詳しい説明を省略する。ストッパ６１は升形に形成されており、その開口部がパチンコ機１０の背面と対峙するように取り付けられている。ストッパ６１は、その上面にストッパ４９の規制部４９ａと同様の構成である規制部６１ａを備えている。規制部６１ａは、ストッパ６１の上面の板を切り欠くことによって形成されている。そして、ストッパ６１は、払い出し装置３２の下方への移動を規制する規制位置（実線で示す位置）と、この規制を解除する規制解除位置（二点鎖線で示す位置）との間で回動自在となるように、球通路ユニット３３に軸着されている。ストッパ６１が規制位置に位置する状態では、規制部６１ａが案内筒４４の周囲を囲んだ状態となる。これにより、払い出し装置３２の水平方向への移動が規制される。
【００２８】
上記実施形態では、ストッパ４９を略垂直方向でスライド自在となるように軸支したが、ストッパ４９は、規制位置と規制解除位置とで回動されれば、必ずしもスライド自在に軸支しなくてもよい。
【００２９】
上記実施形態では、フック４２を取付孔３６に挿入し、係止爪３７と係止孔４３とを係止させることによって払い出し装置３２をパチンコ機１０の背面に仮固定したが、払い出し装置３２の仮固定の方法は適宜の方法でよい。
【産業上の利用可能性】
【００３０】
上記実施形態では、弾球遊技機としてパチンコ機を例に挙げて説明したが、払い出し装置から払い出された遊技球が球通路から受け皿に流下する弾球遊技機であれば、適宜のパチンコ機以外の弾球遊技機に本発明を適用できる。
【図面の簡単な説明】
【００３１】
【図１】パチンコ機の前面側の斜視図である。
【図２】パチンコ機の背面側の斜視図である。
【図３】払い出し装置を取り外した状態のパチンコ機の背面側の斜視図である。
【図４】払い出し装置の側面（パチンコ機への取付部分）からの斜視図である。
【図５】払い出し装置のパチンコ機への取付部分の拡大図である。
【図６】払い出し装置の下面からの斜視図である。
【図７】ストッパが規制解除位置に位置するときの球通路ユニットの斜視図である。
【図８】ストッパが規制位置に位置するときの球通路ユニットの斜視図である。
【図９】払い出し装置を仮固定した状態のパチンコ機の背面側の斜視図である。
【図１０】略垂直な軸を中心に回動するストッパの斜視図である。
【符号の説明】
【００３２】
１０  パチンコ機（弾球遊技機）
３２  払い出し装置
３３  球通路ユニット
４４  案内筒
４６  球通路
４８  軸
４９  ストッパ
４９ａ  規制部
【図１】
0004467484.tif 000002
【図２】
0004467484.tif 000003
【図３】
0004467484.tif 000004
【図４】
0004467484.tif 000005
【図５】
0004467484.tif 000006
【図６】
0004467484.tif 000007
【図７】
0004467484.tif 000008
【図８】
0004467484.tif 000009
【図９】
0004467484.tif 000010
【図１０】
0004467484.tif 000011